(57)【要約】  本発明は、インプラントを設計および／または製作する為の医療コンテナユニット（１）に関し、複数のコンテナ副ユニット（４ａ、４ｂ、４ｃ、４ｄ）を備え、各々の複数のコンテナ副ユニット（４ａ、４ｂ、４ｃ、４ｄ）は、セクタ（２ａ、２ｂ、２ｃ、２ｄ）を形成し、インプラントを設計及び／又は製作する為の少なくとも一つの手段が備えられ、少なくとも２つの側面で自己支持形部分副構造体によって形成される。【選択図】  図１
2018532054.tif 000002
【特許請求の範囲】
【請求項１】
インプラントを設計および／または製作する為の医療コンテナユニット（１）であって、    
複数のコンテナ副ユニット（４ａ、４ｂ、４ｃ、４ｄ）を備え、各々の前記複数のコンテナ副ユニット（４ａ、４ｂ、４ｃ、４ｄ）は、セクタ（２ａ、２ｂ、２ｃ、２ｄ）を形成し、インプラントを設計及び／又は製作する為の少なくとも一つの手段（３）が備えられ、少なくとも２つの側面で自己支持形部分副構造体によって形成される、コンテナユニット（１）。
【請求項２】
各コンテナ副ユニット（４ａ、４ｂ、４ｃ、４ｄ）は、少なくとも一つの更なるコンテナ副ユニット（４ａ、４ｂ、４ｃ、４ｄ）と再分離できるように接続されることを特徴とする、請求項１に記載のコンテナユニット（１）。
【請求項３】
各コンテナ副ユニット（４ａ、４ｂ、４ｃ、４ｄ）は、自己支持形骨格構造体を含み、前記自己支持形骨格構造体には、複数の部分副構造体が存在し、前記複数の部分副構造体には、複数の側壁（５）、天井部及び／又は底部（６）を形成するプレートセクション及び／又は自身を支持する梁部が配置されることを特徴とする、請求項１又は２に記載のコンテナユニット（１）。
【請求項４】
前記骨格構造体は、金属材料から作られることを特徴とする、請求項３に記載のコンテナユニット（１）。
【請求項５】
前記プレートセクションは、軽金属材料またはプラスチック材料から作られることを特徴とする、請求項３又は４に記載のコンテナユニット（１）。
【請求項６】
第１セクタ（２ａ）には、ラバトリー（８）、シャワー及び／又はトイレットボウル（９）を備えるサニタリーユニット（７）が備えられ、さらに／または、オフィス装備品（１１）を備えるオフィスユニットが備えられることを特徴とする、請求項１〜５のいずれか一項に記載のコンテナユニット（１）。
【請求項７】
第２セクタ（２ｂ）には、作図ソフトウェアを含むコンピュータ（１３）を備えるデザインユニット（１２）が備えられ、さらに／または、クリーニング及び／又はパッキングユニット（１４）および／または消毒ユニットが備えられることを特徴とする、請求項１〜６のいずれか一項に記載のコンテナユニット（１）。
【請求項８】
第３セクタ（２ｃ）は、作業台（１６）を備えるハンドクラフトユニット（１５）が備えられ、さらに／または表面仕上げユニット（１７）が備えられることを特徴とする、請求項１〜７のいずれか一項に記載のコンテナユニット（１）。
【請求項９】
第４セクタ（２ｄ）は、インプラントを機械製作する為の製作ユニット（１８）が備えられ、前記製作ユニットは、付加的製作装置、焼固め製作装置、レーザ溶融装置、及び／又はミリング装置のような切断装置を備えることを特徴とする、請求項１〜８のいずれか一項に記載のコンテナユニット（１）。
【請求項１０】
前記コンテナ副ユニット（４ａ、４ｂ、４ｃ、４ｄ）を互いに重ね合わせることができ、さらに／または互いに繋がれることを特徴とする、請求項１〜９のいずれか一項に記載のコンテナユニット（１）。
【発明の詳細な説明】
【技術分野】
【０００１】
本発明は、患者の為のインプラントを設計及び／又は製作する為に、複数のセクタを有する医療コンテナユニット（すなわち、可動コンテナ装置）に関する。
【０００２】
一般的技術状態から知られていることは、医療目的の為にコンテナを根本的に設けることである。たとえば、US 2011/0173898 A1は、この状態で、独立した医療ケアユニットを開示する。
【０００３】
DE 20 2012 003 175 U1から知られた更なる技術状態において、モジュラー空間（たとえば、医療セクタの手術室）が骨格設計において構築可能であり、複数の支持プロファイルが天井骨格を形成する為に使用されることが知られている。
【０００４】
従来技術から知られた医療コンテナにおいて欠点であることが分かったことは、それらが、それ自体、特定用途を追求し、そのセクタは、それぞれのコンテナの決まった要求のコンポーネントを構成することである。特に、前記コンテナは、コンテナの意図された機能を実現するために、それぞれの相互作用について、コンテナの完全に組み立てられた状態でのみ使用可能になる。そのため、コンテナの装着場所における、それぞれの空間的状況に対応すること、その場所の状態に個別に適合可能な全体的コンテナユニットを利用可能にすることは、これまで可能ではなかった。この理由から、装着場所で、それぞれの空間的状況に個別に適合されるコンテナが生産されなければならない。
【発明の概要】
【０００５】
そのため、本発明は、従来技術から知られた前記欠点を排除し、応用領域において所望のそれぞれの空間的条件に個別に適合されることが意図された医療コンテナユニットを、特に安価が保たれることが意図される前記コンテナの製作と共に提供することを目的とする。
【０００６】
本発明によると、これは、請求項１の特徴によって達成され、ここで、コンテナユニットには、複数のコンテナ副ユニットが備えられ、各コンテナ副ユニットは、（好ましくは患者特有の）インプラントを設計及び／又は製作する少なくとも一つの手段が設けられ、少なくとも二つの側面で自己支持形部分副構造体によって構成され／区切られる。このように、セクタの各々は、別個に／独立に自己支持形コンテナ（空間）副ユニットによって構成され／形成される。また、互いに独立して／互いに分離されて配置されるように適合されたコンテナ副ユニット形式で配置されるセクタが提供される。
【０００７】
この配置は、異なる高さ、幅、長さの医療コンテナユニットが、コンテナ副ユニットの基本的寸法に応じて、構成されることを可能にする。このように、コンテナ／コンテナユニットは、特に汎用的な方法で設計可能である。
【０００８】
患者を治療および治癒する為に、患者特有の、解剖学的に適合されたインプラントが可能な限り迅速に提供されるとき、患者の入院および手術の間の期間が最小限に抑えられる利点がある。さらに、手術技法の事前チェックの為に、インプラントの機種を外科医が迅速に利用できるという利点がある。全ての設計および／または製作ステップを運搬可能なコンテナユニットに一体化することによって、運搬時間が省略される。さらに、主治の外科医およびユニットを設計及び／又は製作を扱う技師の間の直接かつ即時の会話が可能である。
【０００９】
更なる有利な実施形態は、従属形式請求項に規定されているが、以下、説明する。
【００１０】
都合良く各コンテナ副ユニットが分離可能に少なくとも一つの更なるコンテナ副ユニットに接続されるとき、コンテナ／コンテナユニットは、装着状態で特に強力になるように設計され、同時に、外部ジオメトリの個別化された適応を迅速に実行することができる。
【００１１】
各コンテナ副ユニットが、自己支持形骨格構造体を含むときには更に有用であるが、自己支持形骨格構造体には、複数の部分副構造体が存在し、そこには、複数の側壁を形成するプレートセクション、（好ましくはパネル形式の）天井部及び／又は底部及び／又は天井部を支持する梁が配置・固定されている。これが確実にすることは、各コンテナ副ユニット自体により／詳細には更に安定しており、その個々のセクタは、他のセクタと無関係に生産／装着可能である点である。これは、それぞれの運搬車にスペースをとらずに後で配置できる個々のセクタに分解することによって、コンテナ／コンテナユニット運搬の利点を与える。
【００１２】
この概念で、金属材料、好ましくはスチール材料から骨格構造体が作られるとき、骨格構造体は、特にコンパクトになるように設計されてもよいが、それでも、必要な保持荷重を吸収するように適合される。好ましくは、骨格構造体は、複数の相互接続された支持梁によって構成され、あるいは、更なる支持梁／複数の梁によって拡張される。これは、コンテナ副ユニット自体が、特に等しく薄い壁になるように形成されることを可能にする。
【００１３】
この状況において、プレートセクションが軽量金属材料、好ましくはアルミニウム材料、あるいは、特に好ましくはプラスチック材料から作られるとき、コンテナ／コンテナユニットの裏張り／壁も同様に、特に単純かつ安価になるように構成される。
【００１４】
ラバトリー、シャワー及び／又はトイレットボウルを備えるサニタリーユニットがセクタの一つ／第１セクタ／コンテナ副ユニットの一つ／第１コンテナ副ユニットに備えられるとき、および／またはオフィス家具を含むオフィスユニットを備えるとき、更に好都合である。好ましくは、前記（第１）セクタは、差に他ｒ−リーユニット及びオフィスユニットの両方を含むように構成され、オフィスユニットは、（好ましくは再分離可能な）内壁によって互いに対して空間的に区切られている。これは、セクタの特に効率的な使用を可能にする。
【００１５】
この状況において、作図ソフトウェア（すなわち、ＣＡＤプログラム）を含むコンピュータを備える設計（インプラント）設計ユニットおよび／またはインプラントの為の洗浄及び／又は包装ユニットがセクタの一つ／第２セクタ／コンテナ副ユニットの一つ／第２コンテナ副ユニットに備えられるとき、同様に、更に好都合である。好ましくは、前記（第２）セクタは、設計ユニットおよび洗浄及び／又は包装ユニットの両方を備えるように構成され、包装ユニットは、（好ましくは分離可能な）内壁によって互いに対して空間的に区切られる。これも、第２セクタの特に効率的な使用を可能にする。
【００１６】
作業台を備えるハンドクラフトユニット及び／又はインプラントの為の表面仕上げユニットがセクタの一つ／第３セクタ／コンテナ副ユニット／第３コンテナ副ユニットに備えられるとき、そのようなセクタは特に役立つように構成される。ハンドクラフトユニット及び表面仕上げユニットは、同様に、前記（第３）セクタに配置されるのが好ましく、更なる（好ましくは再分離可能な）内壁によって互いに分離される。
【００１７】
付加的製作装置／機械、焼固め装置／機械、レーザ溶融装置／機械及び／又はミリング装置／機械のような切断装置／機械を備える、インプラントの機械製造の為の製作ユニットがセクタの一つ／第４セクタ／コンテナ副ユニットの一つ／第４コンテナ副ユニットに備えられるとき、さらに有用である。これも、第４セクタの、特に効率的な使用を可能にする。さらに、現場で／病院で、可能な限り迅速に、患者特有のインプラントが外科医に利用可能なるとき、コンテナの利点は更に向上される。
【００１８】
コンテナ副ユニットが個々に、あるいは、更に好ましくは対に積まれるとき／互いに（再分離可能に）積み重ねられるとき、あるいは、一緒に（分離可能に）繋がれるとき、更に好都合である。しかしながら、特に好ましくは、コンテナ副ユニットは、それらが（再分離可能に）互いに隣りに接続され／繋がれ／水平に互いに積み重ねられ／垂直に／（再分離可能に）互いに接続されるように構成される。これは、特に汎用的コンテナ設計の実現を可能にする。
【００１９】
さらに、各コンテナ副ユニットが、少なくとも一つの内壁、好ましくは複数の再分離可能な内壁を受けるように構成／準備されるとき、好都合である。
【００２０】
また、本発明は、個別のステップを有するインプラントを設計および／または製作する方法に関し、これらの個別のステップは、たとえば、専ら病院内部と、前述された設計の一つに従って、それに所属するコンテナユニットで実行される。
【００２１】
換言すると、本発明によると、インプラントを製作する為の製作装置を与え、使用場所で所定の空間的オプションに個別に適合可能な可動性インプラント生産コンテナユニットが実現される。前記コンテナ／コンテナユニットは、構造体として組み立てられる間に好ましくは車両に装着され、さらに／または、特定の場所に装着されるときに据え付けられる。そのため、長期供給および発送経路を有することなく、患者特有のインプラントが製造可能になり、可能な限り迅速に利用可能にできる。生産装置／コンテナユニットは、中心部（例えば都心）で、あるいは、他に病院内部で装着されてもよい。インプラントは、外科医に利用可能なソフトウェア設計ツールによるＣＴデータ（患者スキャン）に基づいて設計されており、ローカル生産装置に移送される。そこで、インプラントは機械製作され、外科医に渡される。
【００２２】
したがって、医療コンテナを、オフィスコンテナ形式で固定されたコンテナとして、あるいは、作業会社の作業車上の構造体として、組み立てることができる。このように、患者特有のインプラントが、可能な限り迅速に外科医の為に利用可能にされる。インプラント生産は、可動ユニット／コンテナユニット内の限定された動作確認済み処理によって確保されるが、製作は可能な限り迅速に実行可能であり、特に世界的に配布された全ての現場で製造可能である。そのため、製作は据え付け型および可動型の両方であり、製作はモジュラー設計（各コンテナ／コンテナ副ユニットの為の一つの技術）から構成されるので、ニーズに合わせて観念的に縮小／拡大できるという点で利点がある。必要な技術によって、個別に必要なセクタ／コンテナ副ユニットを含む、対応するコンテナユニットが利用可能になる。そのため、コンテナユニットは、特に適切に拡大縮小可能である。
【００２３】
コンテナユニットのコンテナ副ユニット／個々のセクションは、互いに対して拡大縮小可能であり、医師、エンジニア、技師のような異なる大集団の人々を含むニーズと、異なる頻繁な大規模製作一括処理とを考慮に入れるように絶対的に考慮されるときに拡大縮小可能である。
【００２４】
病院の手術棟の直近で操作されるように寸法が決められ、構成されるコンテナユニットが提供される。都合の良いことに、それは、病院の手術棟の建物部分に直結されてもよい。
【００２５】
以下、図面を参照して、本発明を詳細に説明するが、図面には、好ましい実施形態に従う本発明による医療コンテナユニットの概略的な上面図が示されるが、その図から、コンテナユニットのコンテナ副不ニット／個別セクタと、その例示的配置が明らかである。
【図面の簡単な説明】
【００２６】
図面は、単に概略的であり、本発明の説明の為にのみ役立つ。
【図１】図１は、本発明に従う医療コンテナユニット１の有利な実施形態を例示する。
【詳細な説明】
【００２７】
医療コンテナユニット１は、この実施形態において、患者のインプラントの為に可動空間ユニットを設計および製作するのに役立つ。前記可動コンテナユニット１は、独立した単一コンテナ形式であり、運搬車によって運搬可能である。それは、病院内部の装着表面のような装着表面に装着可能である。他の構成において、コンテナユニット１は、同様に再び分離可能な車両構造として運搬車に接続される。コンテナユニット１は、作業車の構造を形成する。
【００２８】
本発明に従う型式のコンテナユニット１は、コンテナ又は全体コンテナユニットとも呼ばれるが、複数の独立した、すなわち、個別の自己支持形コンテナ副ユニット４ａ、４ｂん、４ｃ、４ｄを含み、これらは、部分副構造体を有する。各コンテナ副ユニット４ａ、４ｂ、４ｃ、４ｄは、セクタ２ａ、２ｂ、２ｃ、２ｄを形成する。この構成において、２つを超えた、すなわち４つのセクタ２ａ、２ｂ、２ｃ、２ｄは、それぞれの副ユニット４ａ、４ｂ、４ｃ、４ｄによって形成され、副ユニット４ａ、４ｂ、４ｃ、４ｄは、それらの接続状態でコンテナユニット１を共同で形成する。しかしながら、更なる構成において、コンテナ副ユニット４ａ、４ｂ、４ｃ、４ｄの４つを超えた、例えば、５つ又は６つの、あるいは、４つ未満、例えば２つ又は３つは相互接続され、本発明の基本概念から逸脱することなく、コンテナユニット１を形成する。
【００２９】
この実施形態において、４つの独立したコンテナ副ユニット４ａ、４ｂ、４ｃ、４ｄは、連続して並置され、互いに、再び分離できるように固定／再び分離できるように接続される。コンテナ副ユニット４ａ、４ｂ、４ｃ、４ｄは、本書で概略的に例示された、それらの４つの側壁５の骨格構造体に対して、それらの底部に対して、明確正の為に本書では詳細に示されていない天井部に対して、同一／同等の設計を有する。コンテナ副ユニット４ａ、４ｂ、４ｃ、４ｄの各々は、コンテナユニット１を形成するように少なくとも一つの更なるコンテナ副ユニット４ａ、４ｂ、４ｃ、４ｄに固定することによって接続されるモジュール型式を形成する。各コンテナ副ユニット４ａ、４ｂ、４ｃ、４ｄは、４つの側壁５及び天井部を本質的に支持／保持する為に支持構造体として骨格構造体を含むが、これらの骨格構造体は、少なくとも部分的に副構造体の一部を形成する。前記骨格構造体は、個別のコンテナ副ユニット４ａ、４ｂ、４ｃ、４ｄの支持構造体を形成するスチール梁形式で、複数の支持梁によって形成される。これは、一体化された骨格構造体の一部によって４つの側壁５及び天井部を収容／支持するのに役立ち、別個に自己支持であるようにコンテナ副ユニット４ａ、４ｂ、４ｃ、４ｄの各々を構成するのにも役立つ。その後、複数の板状セクション／プレートセクションは、周囲に対して、底部６及び天井部のセクタ２ａ、２ｂ、２ｃ、２ｄを区切り、４つの側壁５の形成を確保するように、骨格構造体に接続される。
【００３０】
それぞれのセクタ２ａ、２ｂ、２ｃ、２ｄの底部６／それぞれのコンテナ副ユニット４ａ、４ｂ、４ｃ、４ｄの底部６が設けられ／平坦プレートセクションで形成されるが、本書では、コンテナ副ユニット４ａ、４ｂ、４ｃ、４ｄの各々の基本寸法を定める単独の底部プレートとして構成されている。底部プレート／底部６は、この場合、矩形である。底部プレートは、塊状の金属材料から作られ、好ましくは、スチール材料から作られる。天井部も、そのようなプレートセクションによって形成されるが、あるいは、複数のプレートセクションによって形成されるが、複数のプレートセクションは、骨格構造体に接続される。各側壁５も、骨格構造体に裏張りをつける為に取り付けられた複数のプレートセクションによって、通常の方法で形成される。本質的に、各コンテナ副ユニット４ａ、４ｂ、４ｃ、４ｄは、周囲に面する側面で／隣りのコンテナ副ユニット４ａ、４ｂ、４ｃ、４ｄから向きがそれるプレートセクションを用いて完全に裏張りがつけられるので、それぞれのセクタ２ａ、２ｂ、２ｃ、２ｄは、周囲に対して区切られる。そのため、プレートセクションは、全体として、コンテナユニット１を形成するコンテナ副ユニット４ａ、４ｂ、４ｃ、４ｄの接続状態で、周囲から分離された領域／空間を形成する。骨格構造体及びコンテナ副ユニット４ａ、４ｂ、４ｃ、４ｄのプレートセクションは、これらが再分離できるように／取り外せるように配置される。これは、個々のセクタ２ａ、２ｂ、２ｃ、２ｄが空間的に相互接続されることを可能にする。
【００３１】
骨格構造体は、スチール材料／複数の相互接続された（それぞれが梁によって接続される）スチール支持体／梁から形成されるが、プレートセクションは、好ましくはアルミニウム材料、代替的に、プラスチック材料から作られる。
【００３２】
さらに、個々のセクタ２ａ、２ｂ、２ｃ、２ｄの詳細な構造体は、図１から明らかである。第１セクタ２ａ／第１コンテナ副ユニット４ａは、第１部分空間１９ａ内部に（第１手段３として）サニタリーユニット７を含む。前記サニタリーユニット７は、一種のバスルームを形成し、ラバトリー８および複数のトイレットボウル９の両方を含む。第１セクタ２ａの第２部分空間２０ａは、同様に、取り外せる／再分離可能な内壁２１を経て第１部分空間１９ａから空間的に分かれている。この構成において、第１セクタ２ａの第２部分空間２０ａは、オフィスである。したがって、第２部分空間２０ａは、（第２手段として）オフィスユニット１０を含み、オフィスユニット１０は、オフィス家具１１やキッチン家具２２を備える。第１部分空間１９ａおよび第２部分空間２０ａの間の内壁２１にはドアが配置され、このドアを通って、部分空間１９ａおよび部分空間２０ａの間で職員が変えてもよい。第２セクタ２ｂから向きがそれる側面に配置され、外壁を形成する第１コンテナ副ユニット４ａ／第１セクタ２ａの側壁５は、同様に、外部ドア形式でドア２３を含む。
【００３３】
第２コンテナ副ユニット４ｂの縦方向の側面は、第１コンテナ副ユニット４ａの縦方向の側面と同一平面上にある。第２コンテナ副ユニット４ｂによって形成された第２セクタ２ｂは、同様に、２つの部分空間１９ｂ、２０ｂを含み、第１部分空間１９ｂは、（第３手段として）洗浄及び包装ユニット１４を有する。少なくとも一つの洗浄装置（たとえば、スプレークリーナ、圧縮空気クリーナ）が、仕上げられたインプラントを洗浄する為に存在し、前述の洗浄済みインプラントを包装する為の包装装置は、患者／外科医に更に運搬する為に存在する。単に、洗浄ユニットまたは包装ユニットの一方を前記第１部分空間１９ｂに配置することも考えられる。第２セクタ２ｂの第２部分空間２０ｂも同様に（第４手段として）デザインユニット１２を含む。前記デザインユニット１２は、同様に、電子コンピュータ１３を含み、そのモニタ／画像表示装置だけが、明確性の為に示されている。インターネットのような外部データ通信を経てデータベース／更なるコンピュータに接続される前記コンピュータ１３によって、患者／患者を扱う人体領域の前で検出された患者特有の３Ｄデータが送信／受信される。そのため、コンピュータ１３は、受信ユニットを含み、これによって、それぞれの患者の３Ｄデータ設定を処理できる。また、コンピュータ１３は、作図ソフトウェア、すなわち、ＣＡＤプログラムを含み、これによって、インプラントが、患者の送信済み幾何学的３Ｄデータによって作成される。
【００３４】
第２セクタ２ｂの２つの部分空間１９ｂ、２０ｂは、取り外せる／再分離可能な内壁２１によって互いに等間隔で分離されるが、内壁にドア２３が挿入されてもよい。この構成において、第１セクタ２ａの第２部分空間２０ａおよび第２セクタ２ｂの第２部分空間２０ｂの間の側壁５にはプレートセクションが無いので、空間的に相互接続され、これは、部分空間２０ａへと部分空間２０ｂから延びるデザインユニット１２のデスク２４から明らかである。
【００３５】
第３コンテナ副ユニット４ｃは、同様に、第１コンテナ副ユニット４ａから向きがそれる第２コンテナ副ユニット４ｂの縦方向の側面に対して、縦方向の側面で再分離可能であるように配置される。また、第３コンテナ副ユニット４ｃによって形成された第３セクタ２ｃは、分けられ、第１部分空間１９ｃおよび第２部分空間２０ｃを有する。第１部分空間１９ｃは、同様に、（第５手段３として）表面仕上げユニット１７を含み、これによって、以前に製造されたインプラントの表面が仕上げ加工可能である。第３セクタ２ｃの第１部分空間１９ｃは、取り外せる／再分離可能な内壁２１及びドア２３によって、第２部分空間２０ｃと区切られている。第２部分空間２０ｃには、（第６手段３として）ハンドクラフトユニット１５が配置され、これは、特に、以前に製造されたインプラントで可能な仕上げ処理を行う為の作業台を含む。第３セクタ２ｃの第１部分空間２０ｃは、第２セクタ２ｂの第２部分空間２０ｂと他のドア２３を介して接続され、２つのコンテナ副ユニット４ｂ、４ｃの隣接した側壁５は、前記ドア２３の領域内に収容される。
【００３６】
第１コンテナ副ユニット４ａ、第２コンテナ副ユニット４ｂから向きがそれた第３コンテナ副ユニット４ｃの縦方向の側面で、同様に、第４コンテナ副ユニット４ｄは、その縦方向の側面で配置され、第３コンテナ副ユニット４ｃに再分離可能に取り付けられている。前記第４コンテナ副ユニット４ｄによって形成された第４セクタ２ｄは、単一空間１９ｄとして構成され、（第７手段３として）製作ユニット１８を構成する、複数のインプラント製作装置を含む。本書では、製作ユニット１８において、特に、３Ｄプリンタのような好ましくは付加的製作装置、更に好ましくは焼固め製作装置、更に好ましくはレーザ溶融装置、本質的に更に好ましくはミリング装置のような切断装置の配置が実現される。製作ユニット１８によって、対応する製作装置、特に、医療／外科インプラントは、製作可能である。前記第４セクタ２ｄ内部でインプラントを製作／生産した後、そのインプラントを、ハンドクラフトユニット１５、表面仕上げユニット１７，洗浄及び包装ユニット１４に送ることができる。
【００３７】
前記第４セクタ２ａ、２ｂ、２ｃ、２ｄを別にすれば、更なるコンテナ副ユニット４によって任意の数の更なるセクタが組み立てられるが、これらのコンテナ副ユニット４は、同様に、コンテナ副ユニット４ａ、４ｂ、４ｃ、４ｄと再分離可能に接続可能であり、これは、図１において、第４コンテナ副ユニット４ｄの側面に破線によって概略表示されている。
【００３８】
各コンテナ副ユニット４ａ、４ｂ、４ｃ、４ｄも、底部６／底部プレートによって予め定められる等しい表面積を有する。全てのセクタ２ａ、２ｂ、２ｃ、２ｄは、長方形／矩形の平坦表面領域／底部領域を有する。特に好ましくは、前記底部領域は、４０％から６０％、更に好ましくは、その長さの半分の幅、約３ｍ×６ｍである。高さにおいて、コンテナ副ユニット４ａ、４ｂ、４ｃ、４ｄの各々は、好ましくは４ｍより小さいので、普通に構成された病院部屋に装着可能である。一例として、前記コンテナ副ユニット４ａ、４ｂ、４ｃ、４ｄ／セクタ２ａ、２ｂ、２ｃ、２ｄの各々の高さは、２．５０〜３．５０、特に好ましくは約３ｍ／３ｍである。第１コンテナ副ユニット４ｃ、第２コンテナ副ユニット４ｂまたは第３コンテナ副ユニット４ｃおよび第４コンテナ副ユニット４ｄのような、対で並置された２つのコンテナ副ユニット４ａ、４ｂ、４ｃ、４ｄを配置するとき、２つのコンテナ副ユニット４ａ、４ｂ、４ｃ、４ｄの組立品の、ほぼ矩形表面領域が生じる。
【００３９】
このように、例えば、専ら病院、それに所属するコンテナユニット１の内部で行われる個々の設計および製作ステップを有する、患者／外科処置の為のインプラントを設計および製作する方法は、特に効率良く実現される。製作ステップは、コンテナ内部で専ら実現される。デザインは、コンテナの外側で部分的に或いは完全に行われてもよい。
【００４０】
図１に従うコンテナユニット１を形成するように連続して配置されたコンテナ副ユニット４ａ、４ｂ、４ｃ、４ｄの配置に代えて、コンテナ副ユニットの対または全部を互いに重ね合わせることも可能である。そのため、個々のセクタ２ａ、２ｂ、２ｃ、２ｄは、互いに隣りに／水平に接続され／繋がれるばかりでなく、それらが互いに垂直にも重ね合わせられるように積まれ／接続されるように構成される。垂直において、２つのコンテナ副ユニット４ａ、４ｂ、４ｃ、４ｄの隣接した天井部および底部の積重ねは、階段部分によって接続される。第３コンテナ副ユニット４ｃ及び第４コンテナ副ユニット４ｄのような２つのコンテナ副ユニット４ａ、４ｂ、４ｃ、４ｄを、第１コンテナ副ユニット４ａ、第２コンテナ副ユニット４ｂのような他のコンテナ副ユニット４ａ、４ｂ、４ｃ、４ｄに積むとき、全体として立方体状のコンテナユニット１が形成される。コンテナ副ユニット４ａ、４ｂ、４ｃ、４ｄは、常に、それらの隣りのコンテナ副ユニット４ａ、４ｂ、４ｃ、４ｄと再分離可能に接続される。
【００４１】
【符合の説明】
【００４２】
1…コンテナユニット
２ａ…第１セクタ
２ｂ…第２セクタ
２ｃ…第３セクタ
２ｄ…第４セクタ
３…設計及び／又は製造手段
４ａ…第１コンテナ副ユニット
４ｂ…第２コンテナ副ユニット
４ｃ…第３コンテナ副ユニット
４ｄ…第４コンテナ副ユニット
５…側壁
６…底部
７…サニタリーユニット
８…ラバトリー
９…トイレットボウル
１０…オフィスユニット
１１…オフィス家具
１２…デザインユニット
１３…コンピュータ
１４…洗浄及び包装ユニット
１５…ハンドクラフトユニット
１６…作業台
１７…表面仕上げユニット
１８…製作ユニット
１９ａ…第１セクタの第１部分空間
１９ｂ…第２セクタの第１部分空間
１９ｃ…第３セクタの第１部分空間
１９ｄ…第４セクタの第１部分空間
２０ａ…第１セクタの第２部分空間
２０ｂ…第２セクタの第２部分空間
２０ｃ…第３セクタの第２部分空間
２１…内壁
２２…キッチン家具
２３…ドア
２４…デスク
【図１】
2018532054.tif 000003
【国際調査報告】
2018532054.tif 000004
2018532054.tif 000005
2018532054.tif 000006
2018532054.tif 000007
2018532054.tif 000008
2018532054.tif 000009